(57)【要約】【課題】おしり洗浄用ノズルとビデ用ノズルの洗浄を効果的に行うことができて衛生的なものとする。【解決手段】おしり洗浄用ノズル５１とビデ用ノズル５２とを備えるとともに、これら両ノズル５１，５２の洗浄用の洗浄水を上記両ノズルに噴射するノズル洗浄用ノズル５３を備える。ノズル洗浄用ノズル５３からの洗浄水が当てられる位置にあるおしり洗浄用ノズル５１とビデ用ノズル５２との間に位置して、両ノズル５１，５２間を仕切る壁５９を備える。壁５９の存在により、ノズル洗浄用ノズル５３から噴射されておしり洗浄用ノズル５１やビデ用ノズル５２に当たった洗浄水が他方にかかってしまうことがない。【選択図】図１
2005076281.tif 000002
【特許請求の範囲】
【請求項１】
おしり洗浄用ノズルとビデ用ノズルとを備えるとともに、これら両ノズルの洗浄用の洗浄水を上記両ノズルに噴射するノズル洗浄用ノズルを備えている局部洗浄装置であって、ノズル洗浄用ノズルからの洗浄水が当てられる位置にあるおしり洗浄用ノズルとビデ用ノズルとの間に位置して、両ノズル間を仕切る壁を備えていることを特徴とする局部洗浄装置。
【発明の詳細な説明】
【技術分野】
【０００１】
本発明は、局部洗浄装置、殊に局部洗浄用ノズルを洗浄するためのノズル洗浄手段を備えている局部洗浄装置に関するものである。
【背景技術】
【０００２】
局部洗浄装置では、通常、おしり洗浄用ノズルとビデ用ノズルの２つのノズルを伸縮させることができるようにして配置するとともに、上記両ノズルから洗浄水を選択的に噴出させることができるようにしている。また、これらノズルに汚れが付着しては問題があることから、上記両ノズルが待機位置にある状態で上記両ノズルに洗浄水を吹き付けて洗浄するノズル洗浄用ノズルを設けている。
【０００３】
図１１は特開２００２−２１３００４号公報（特許文献１）に示された局部洗浄装置におけるおしり洗浄用ノズル５１とビデ用ノズル５２及びノズル洗浄用ノズル５３を示しており、待機状態にあるおしり洗浄用ノズル５１とビデ用ノズル５２の上方を覆ってこれらノズル５１，５２に汚れが付着することを防ぐ天板部５８の下面で各ノズル５１，５２の左右上方に位置するところにノズル洗浄用ノズル５３が配置されている。
【０００４】
おしり洗浄用ノズル５１もしくはビデ洗浄用ノズル５２を用いた局部洗浄時には、まずノズル洗浄用ノズル５３から洗浄水を吐出して両ノズル５１，５２を洗浄し、次いで選択されたノズル５１，５２が伸びてその状態で洗浄水を上面の噴出口から吐出することによって局部洗浄を行い、該洗浄動作の終了でノズル５１，５２が縮んで図示の待機位置に戻ったならば、ノズル洗浄用ノズル５３から再度洗浄水を吐出して両ノズル５１，５２を洗浄する。
【０００５】
ここにおいて、従来例のものではおしり洗浄用ノズル５１とビデ用ノズル５２とは共に天板部５８の下方に左右に並んだ状態にあり、ノズル洗浄用ノズル５３から洗浄水を噴出させた時、一方のノズル５１，５２に当たった洗浄水が他方のノズル５２，５１にかかってしまうことがあり、特におしり洗浄用ノズル５１に当たった洗浄水がビデ用ノズル５２にかかる時、おしり洗浄用ノズル５１に付いていた汚れがビデ用ノズル５２に付着するおそれがあって、衛生上、問題がある。
【０００６】
また、一方のノズル５１，５２に当たった洗浄水が他方のノズル５２，５１に再度当たる時、他方のノズル５２，５１からの飛沫が特異な方向に飛散し、局部洗浄装置外に飛び出してしまうおそれもある。
【特許文献１】特開２００２−２１３００４号公報
【発明の開示】
【発明が解決しようとする課題】
【０００７】
本発明は上記の従来の問題点に鑑みて発明したものであって、おしり洗浄用ノズルとビデ用ノズルの洗浄を効果的に行うことができて衛生的である局部洗浄装置を提供することを課題とするものである。
【課題を解決するための手段】
【０００８】
上記課題を解決するために本発明に係る局部洗浄装置は、おしり洗浄用ノズルとビデ用ノズルとを備えるとともに、これら両ノズルの洗浄用の洗浄水を上記両ノズルに噴射するノズル洗浄用ノズルを備えているものにおいて、ノズル洗浄用ノズルからの洗浄水が当てられる位置にあるおしり洗浄用ノズルとビデ用ノズルとの間に位置して、両ノズル間を仕切る壁を備えていることに特徴を備えている。両ノズル間を仕切る壁の存在により、ノズル洗浄用ノズルから噴射されておしり洗浄用ノズルやビデ用ノズルに当たった洗浄水が他方にかかってしまうことがないものである。
【発明の効果】
【０００９】
本発明においては、ノズル洗浄用ノズルから噴射されておしり洗浄用ノズルやビデ用ノズルに当たった洗浄水は、おしり洗浄用ノズルとビデ用ノズルとの間に設けられた壁で遮られて他方のノズル側に飛散することがなく、このためにおしり洗浄用ノズルに付着していた汚れが洗浄水の飛散と共にビデ用ノズルに付着したり、便器外に飛散したりするというような事態を招くことがなくて衛生的なものであり、また上記壁の存在はノズル洗浄用ノズルから噴射された洗浄水によるおしり洗浄用ノズルとビデ用ノズルの洗浄効果を高くする。
【発明を実施するための最良の形態】
【００１０】
以下、本発明を添付図面に示す実施形態に基いて説明すると、図２は本発明にかかる局部洗浄装置の全体を示しており、便器の後方上部に設置される本体１と、この本体１に夫々回動自在に取り付けられた便座２及び便蓋３とからなり、本体１は図３に示すように、ベースプレート１０上に温水貯湯タンク２０や給水電磁弁２１、水圧補助ポンプ２２、温風乾燥手段３，脱臭ユニット４、洗浄ノズルユニット５、電気回路ユニット６、上記便座２及び便蓋３の電動開閉用ユニット７等を配してカバー１１で覆ったものとして形成されている。
【００１１】
なお、給水電磁弁２１や水圧補助ポンプ２２や洗浄ノズルユニット５等の全水回り部品は、図４に示すように、貯湯タンク２０に取り付けられて一つのブロックとされた上でベースプレート１０上に配されており、水回り部品間の接続は貯湯タンク２０をメインに直結でなされている。このために別途補助水路を必要としない構成となっているとともに、水路系の通水検査は、局部洗浄装置全体の組立後ではなく、上記ブロックの組立時に行うことができるものとなっている。
【００１２】
図５〜図７に局部洗浄ノズルユニット５を示す。切換弁部５４から２つのシリンダー５５，５６と水路５７とを延設した該洗浄ノズルユニット５は、シリンダー５５に水を供給することで伸張するおしり洗浄用ノズル５１と、シリンダー５６に水を供給することで伸張するビデ用ノズル５２とを備えるとともに、上記水路５７の先端に設けられて待機状態にある上記両ノズル５１，５２の上方を覆う天板部５８の下面側に配された複数個のノズル洗浄用ノズル５３（図１参照）を備えたもので、これらノズル５１，５２，５３へは切換弁部５４内のニードル６０の回転で選択的に水が供給される。
【００１３】
図８にニードル６０の一例を示す。図中６１はニードル６０の回転に伴って、シリンダー５５，５６と水路５７とに流路を切り換える流路切替穴、６２は原点調整用の突起、６３はニードル６０の回転位置検出を光センサで行うための検出部であり、光センサは切換弁部５４に設けられた図６及び図９に示す切欠６４を通じて先端面が平面の光反射部として形成されている上記検出部６３の検出を行う。図１０に示すように、検出部６３は光を透過させる溝として形成したものであってもよい。
【００１４】
ここにおいて、前記ノズル洗浄用ノズル５３は、図１に示すように、縮んで待機位置にあるおしり洗浄用ノズル５１とビデ用ノズル５２の各左右上方に夫々位置しており、これらノズル洗浄用ノズル５３から洗浄水を上記両ノズル５１，５２に向けて噴射することで、両ノズル５１，５２に付着した汚れを洗い落とすのであるが、両ノズル５１，５２の上方を覆っているとともにノズル洗浄用ノズル５３が下面に形成されている天板部５８は、おしり洗浄用ノズル５１とビデ用ノズル５２の間を仕切る壁５９と、両ノズル５１，５２の各外側方に位置する壁６５とを備えており、ノズル洗浄用ノズル５３から噴射されてノズル５１，５２に当たった洗浄水が、他方のノズル５２，５１側に飛散することと、外側方に飛散することとが上記壁５９，６５によって防止されたものとなっている。
【００１５】
このために、ノズル洗浄ノズル５３から噴射されておしり洗浄用ノズル５１に当たった洗浄水がビデ用ノズル５２にかかったり、逆にビデ用ノズル５２に当たった洗浄水がおしり洗浄用ノズル５１にかかったりすることがなく、また、外側方へ飛散して便器外にまで出てしまうようなこともないものである。
【００１６】
しかも、上記壁５９，６５の存在によってノズル洗浄用ノズル５３から噴射された洗浄水の飛散が防がれていることから、おしり洗浄用ノズル５１やビデ用ノズル５２の洗浄をより効果的に行うことができるものとなっている。
【図面の簡単な説明】
【００１７】
【図１】本発明の実施の形態の一例の要部を示す斜視図である。
【図２】同上の全体を示す斜視図である。
【図３】同上の本体のカバーを外した状態の斜視図である。
【図４】同上の水回りブロックの斜視図である。
【図５】同上の洗浄ノズルユニットの斜視図である。
【図６】同上の洗浄ノズルユニットの後方から見た斜視図である。
【図７】同上の洗浄ノズルユニットの下方から見た斜視図である。
【図８】同上の洗浄ノズルユニットの切換弁部のニードルの斜視図である。
【図９】同上の洗浄ノズルユニットの一部を示す斜視図である。
【図１０】同上の洗浄ノズルユニットの切換弁部のニードルの他例の斜視図である。
【図１１】従来例の要部を示す斜視図である。
【符号の説明】
【００１８】
５１  おしり洗浄用ノズル
５２  ビデ用ノズル
５３  ノズル洗浄用ノズル
５８  天板部
５９  壁
【図１】
2005076281.tif 000003
【図２】
2005076281.tif 000004
【図３】
2005076281.tif 000005
【図４】
2005076281.tif 000006
【図５】
2005076281.tif 000007
【図６】
2005076281.tif 000008
【図７】
2005076281.tif 000009
【図８】
2005076281.tif 000010
【図９】
2005076281.tif 000011
【図１０】
2005076281.tif 000012
【図１１】
2005076281.tif 000013